(57)【特許請求の範囲】
【請求項１】
端子金具を収容可能な複数のキャビティを設けたハウジングと；このハウジングの後側に配されるとともに、前記端子金具に接続された電線を水密状に挿通可能な電線挿通孔と前記ハウジングに嵌合される相手側ハウジングと当該ハウジングとの間を水密状に保持するハウジング防水部とを備えた防水部材と；この防水部材の後側に配されて前記ハウジングに組み付けられて、前記防水部材を抜止保持するカバーとが設けられた防水コネクタであって、
前記カバーには、前記防水部材の電線挿通孔の後側開口を一括して後方に開放可能な全面開口が設けられ、
前記全面開口には、プレートが組み付けられるようになっており、
このプレートには、前記複数のキャビティのうち使用されるキャビティに対応する位置に、前記電線を挿通可能な電線通過口が設けられる一方、不使用とされるキャビティに対応する位置に、前記防水部材の電線挿通孔に挿入可能なダミー栓が突設されていることを特徴とする防水コネクタ。
【請求項２】
前記防水部材の後端部を前記全面開口内に臨ませて、防水部材の後端面を前記カバーの後端面とほぼ面一かあるいは内方へ引っ込んで位置させることを特徴とする請求項１記載の防水コネクタ。
【請求項３】
前記防水部材には、前記電線挿通孔の形成領域の周囲において対向する位置に少なくとも一対の係止孔が設けられている一方、前記プレートには、前記係止孔に係合可能な係止突部が突設されていることを特徴とする請求項１または請求項２に記載の防水コネクタ。
【請求項４】
前記カバーにおける前記プレートが組み付けられる表面には、前記プレートの周囲を取り囲むように突出するとともに突出端面が前記プレートの表面と面一かそれよりも外方へ突出する形態の保護リブが形成されていることを特徴とする請求項１乃至請求項３のいずれかに記載の防水コネクタ。
【発明の詳細な説明】
【０００１】
【発明の属する技術分野】
本発明は、防水コネクタに関するものである。
【０００２】
【従来の技術】
図２３および図２４には、特開平５−３２６０６６号に開示された防水コネクタを示した。
この防水コネクタ１００には、端子金具１０１を収容可能なキャビティ１０５を備えたハウジング１０２と、このハウジング１０２の後面を水密状に閉止する防水部材１０４と、ハウジング１０２に組み付いて防水部材１０４を抜け止めするカバー１０３とが設けられている。
【０００３】
【発明が解決しようとする課題】
ところで、一般にコネクタにおいては、全てのキャビティ１０５が使用されるわけではなく、回路構成によっては不要となるキャビティ１０５が発生することがある。上記の防水コネクタ１００においては、不要なキャビティ１０５が発生した場合には、そのキャビティ１０５への端子金具１０１の装着を防止するために、空室となるキャビティ１０５へダミー栓を突っ込むことがなされきた。そのようなダミー栓を予めカバー１０３の内面に形成しておいて、カバー１０３の装着と共にダミー栓が所定のキャビティに突っ込まれる、という方式を採用することも考えられる。他には、ダミー栓はカバーとは別個に成形され、カバーの開口１０３Ａを通してキャビティ内に突っ込む、という方式も考えられる。
しかし、前者の方式ではカバーが専用品となり、空きキャビティの位置の変動があった場合に対応しにくい。また、後者の方式ではダミー栓はカバーの奥にあるキャビティへ突っ込むことになるため、挿入作業がしにくくなる、という問題がある。
【０００４】
本発明は、上記した事情に鑑みてなされたものであり、その目的は、電線周りと相手側コネクタとの間を共に防水する防水部材を設けた防水コネクタにおいて、ダミー栓の装着作業を行いやすいものを提供すること、また回路構成が異なる場合にも、最小限度の変更で済むものを提供することにある。他の目的は、前後長さの短い防水コネクタを提供することにある。
【０００５】
【課題を解決するための手段】
上記の課題を解決するために請求項１の発明に係る防水コネクタは、端子金具を収容可能な複数のキャビティを設けたハウジングと；このハウジングの後側に配されるとともに、前記端子金具に接続された電線を水密状に挿通可能な電線挿通孔と前記ハウジングに嵌合される相手側ハウジングと当該ハウジングとの間を水密状に保持するハウジング防水部とを備えた防水部材と；この防水部材の後側に配されて前記ハウジングに組み付けられて、前記防水部材を抜止保持するカバーとが設けられた防水コネクタであって、前記カバーには、前記防水部材の電線挿通孔の後側開口を一括して後方に開放可能な全面開口が設けられ、前記全面開口には、プレートが組み付けられるようになっており、このプレートには、前記複数のキャビティのうち使用されるキャビティに対応する位置に、前記電線を挿通可能な電線通過口が設けられる一方、不使用とされるキャビティに対応する位置に、前記防水部材の電線挿通孔に挿入可能なダミー栓が突設されていることを特徴とする。
【０００６】
請求項２の発明は、請求項１に記載のものであって、前記防水部材の後端部を前記全面開口内に臨ませて、防水部材の後端面を前記カバーの後端面とほぼ面一かあるいは内方へ引っ込んで位置させることを特徴とする。
【０００７】
請求項３の発明は、請求項１または請求項２に記載のものであって、前記防水部材には、前記電線挿通孔の形成領域の周囲において対向する位置に少なくとも一対の係止孔が設けられている一方、前記プレートには、前記係止孔に係合可能な係止突部が突設されていることを特徴とする。
請求項４の発明は、請求項１乃至請求項３のいずれかに記載のものであって、前記カバーにおける前記プレートが組み付けられる表面には、前記プレートの周囲を取り囲むように突出するとともに突出端面が前記プレートの表面と面一かそれよりも外方へ突出する形態の保護リブが形成されていることを特徴とする。
【０００８】
【発明の作用、および発明の効果】
請求項１の発明によれば、カバーには全面開口が設けられて防水部材の電線挿通孔を露出させるようにしたため、電線挿通孔が外部から確認しやすく端子金具の挿入作業性に優れる。
また、防水コネクタの回路構成を変更する場合には、プレートのみを変更すればよいため、ハウジング全体を変える必要がなく最小限の変更で済む。
請求項２の発明によれば、従来のように、防水部材の後端面をカバーの後端面で覆っていたものに比較して、カバーの後端面の厚み分だけ寸法低減が図れるため、防水コネクタ全体の前後長さを小さくできる。
【０００９】
請求項３の発明によれば、プレートの電線通過口を経て防水部材の電線挿通孔内へ端子を挿入する。端子金具は電線挿通孔周りの肉を外側へを圧迫しながら挿入されるため、挿入作業の進行に伴って肉が偏り、未挿入の電線挿通孔が原位置からずれようとする。しかし、係止突部と係止孔との係合によって、プレートと防水部材との位置ずれが規制されているので、電線挿通孔と電線通過口との整合状態が保持されたままとなっているから、端子金具の挿入が容易になる。
請求項４の発明によれば、プレートの周囲を取り囲むように保護リブを設けているので、他の部材との干渉に起因するプレートの破損や外れが防止される。
【００１０】
【発明の実施の形態】
＜参考例＞
次に、本発明の参考例について、図１〜図９を参照しつつ詳細に説明する。なお、以下の記述において特に断らない限り、両ハウジング４，６が互いに嵌合する側を前側とし、図１に示す態様で上下方向を示す。
図１には、防水コネクタ１の分解斜視図を示した。この防水コネクタ１には、雌側の端子金具２を収容可能なキャビティ３を備えたハウジング４と、このハウジング４の下面側から組み付けられるリテーナ５と、ハウジング４の後面から組み付けられる防水部材７と、この防水部材７を抜止保持するカバー８とが設けられている。
【００１１】
ハウジング４は、合成樹脂により略直方体状に形成されており、その内部には端子金具２に加えて、二種類の短絡端子９，１０が装着可能とされている。ここでまず、図５を参照しつつ端子金具２の構成について説明する。端子金具２は、導電性板材を折り曲げて形成されており、その後部には電線Ｗを接続可能なバレル部２Ａが設けられている。また、端子金具２の前部には、後述する雄タブ１１を連結可能な角筒状の連結部２Ｂが設けられている。
【００１２】
この端子金具２は、ハウジング４のキャビティ３内部に装着可能とされている。キャビティ３は前後に開口されており、その前方は相手側の雄タブ１１が侵入する連結孔３Ａとして小さく開口されている一方、後方は端子金具２を挿入可能な端子挿入孔３Ｂとして大きく開口されている。端子金具２は、ハウジング４の下面側に開口されているリテーナ装着口４Ａから組み付けられるリテーナ５によって、キャビティ３内部に抜け止めされる。
なお、リテーナ５とハウジング４とは、より浅い位置で係合する仮係止位置と、より深い位置で係合する本係止位置との二つの係止位置が設定されている。仮係止位置では、端子金具２のキャビティ３への挿脱が可能とされている一方、本係止位置では、端子金具２がキャビティ３内に抜け止めされるようになっている。
【００１３】
また、ハウジング４の上面中央には、上下方向に弾性変形可能なロックアーム１４が設けられている。ロックアーム１４の前端部分は、ハウジング４の上面側に連結されて、片持ち状とされている。また、ロックアーム１４の中央には、上方に向かって係合突部１４Ａが突設されており、この係合突部１４Ａが相手側ハウジング６に係合することで、両ハウジング４，６が抜止保持される。このロックアーム１４の下方空間の底面には、短絡端子組付部４１が設けられており、ここには短絡端子９が組み付け可能とされている。また、ハウジング４には、下端部に四個の、中央部に左右一対の計六個の短絡端子用キャビティ４２が設けられており、ここには短絡端子１０が収容可能とされている。
【００１４】
短絡端子９，１０のうち、大型の短絡端子９には、上下方向に弾性変形可能な一対の弾性接触片９Ａが設けられており、相手側ハウジング６の内部に設けられている一対の短絡片１２（図５を合わせて参照）に接触可能とされている。また、小型の短絡端子１０（なお図１には、図示の都合上、一対の短絡端子１０のみを示している。）には、上下方向に弾性変形可能な弾性接触片１０Ａが左右一対に設けられている。各弾性接触片１０Ａは、それぞれが端子金具２の連結部２Ｂに対して弾性的に接触可能とされている。防水コネクタ１と相手側ハウジング６とが嵌合する前には、端子金具２の連結部２Ｂに接触する（図５を参照）一方、両ハウジング４，６が嵌合したときには、相手側ハウジング６に設けられている隔離片１３によって、弾性接触片１０Ａと連結部２Ｂとが離間されるようになっている（図７を合わせて参照）。
【００１５】
また、ハウジング４の後面上部においてロックアーム１４の左右には、一対の係合縁１５が設けられている。この係合縁１５には、後述するカバー８の係合アーム１７が弾性的に係合可能とされている。また、ハウジング４の後面下部には、左右一対の係合凹部１６が凹設されている。この係合凹部１６には、カバー８の係合アーム１８が弾性的に係合可能とされている。
【００１６】
防水部材７は、弾性を備えた材料から形成されており、その前面側にはハウジング４の後面全体を覆う組付開口７Ａが設けられている。組付開口７Ａは、ハウジング４のロックアーム１４を含めて内部に収容可能とされており、防水部材７の後面上部に膨出されている操作部１９をハウジング４の外側から押圧操作することによって、ロックアーム１４の押し込み操作を可能としている。組付開口７Ａの外縁および内縁部分には、それぞれ全周に沿って複数のハウジング防水部２０，２１が断面波形状に設けられている。外側のハウジング防水部２０はカバー８の内面に、また内側のハウジング防水部２１は相手側ハウジング６の外面に、それぞれ押し付けられることで僅かに弾性変形して、両ハウジング４，６間を水密状態とする。
【００１７】
また、組付開口７Ａの孔縁外側には、上下および左右の中央にそれぞれ当接部２２，２３，２４が突設されている。各当接部２２，２３，２４は、カバー８に凹設されている嵌込み部２５，２６，２７に組み付け可能とされている。
また、防水部材７の後面側には、電線Ｗを挿通可能な電線挿通孔２９が複数に渡って開口されている。各電線挿通孔２９は、防水部材７の前後を貫通するようにして形成されているとともに、ハウジング４のキャビティ３の位置に合わせて設けられている。また電線挿通孔２９の内部壁面には、複数の防水突条２９Ａが全周に渡って突設されている（図５を参照）。この防水突条２９Ａの内径は、電線Ｗの外径よりも僅かに小さく形成されており、電線Ｗの外周に押し付けられることによって水密構造となる。全ての電線挿通孔２９が設けられているところは、防水部材７の後端面が操作部１９と同等の位置まで、後部に向かって突設されており、ここが突設部３５とされている。
【００１８】
また、防水部材７の後面において操作部１９の左右両側には、一対のアーム挿通孔３０が開口されており、カバー８の係合アーム１７が貫通可能とされている。また、アーム挿通孔３０の下側において、操作部１９に隣接するところには、リブ挿入溝３７が設けられている。このリブ挿入溝３７は、後面側に開口している一方、前面側は閉止されている（図８を合わせて参照）。リブ挿入溝３７には、カバー８に突設される円形リブ３８が組み付けられる。
【００１９】
また、防水部材７の後面において、下端付近には、カバー８の係合アーム１８を貫通可能な左右一対のアーム挿通孔３１が開口されている。さらに、防水部材７の後面において、高さ方向の中央には左右一対のリブ装着凹部３２が設けられている。このリブ装着凹部３２には、カバー８内部に突設されるリブ３３が嵌め込まれる。なお、リブ装着凹部３２は、防水部材７の後面下端部において、所定の間隔を隔てて合計五個のものが設けられている。
【００２０】
カバー８は、図２に示すように、合成樹脂により一体に成型されており、内側には防水部材７が収納可能とされている。カバー８は、前面の全部が開放されており、ここから防水部材７が装着される。また、カバー８の後面側には、防水部材７の電線挿通孔２９の後側開口を一括して後方に開放可能な全面開口３４が設けられている。全面開口３４の孔縁の前後長さは、防水部材７の突設部３５の突設高さと同等か、それよりも僅かに長くされている。また、全面開口３４の上部には、カバー８の上面に開放する操作部収容溝３６が連なっている。また、カバー８の内面側には、操作部収容溝３６の両側部に、左右一対の係合アーム１７が前方に向かって突設されている。係合アーム１７は、上下方向に弾性変形可能にされているとともに、その先端には、下方に向かって係合爪１７Ａが突設されている。この係合爪１７Ａは、ハウジング４の係合縁１５に係合可能とされている。また、両係合アーム１７の下方には、前方に向かって円形リブ３８がそれぞれ突設されており、防水部材７のリブ挿入溝３７に挿入可能とされている。
【００２１】
また、カバー８の内側において、左右中央には一対の、下縁部分には所定の間隔を隔てて五本のリブ３３が突設されており、それぞれ防水部材７のリブ装着凹部３２に挿入可能とされている。また、下端部の五本のリブ３３のうち、両側部から中央に一つ寄ったものの上面側には、一対の係合アーム１８が前方に向かって突設されている。係合アーム１８の前端には、上方に向かって係合爪１８Ａが突設されており、ここがハウジング４の係合凹部１６に係合可能とされている。なお、係合アーム１８は、上下方向に弾性変形可能とされている。
【００２２】
また、防水コネクタ１を組み付けた後に、端子金具２をキャビティ３に装着する前には、防水部材７の電線挿通孔２９にダミー栓３９が挿入される。このダミー栓３９は、キャビティ３のうち不使用とされるものに対して嵌め込まれるものであり、キャビティ３への端子金具２の誤挿入を防止するとともに、電線挿通孔２９部分を水密状に保持するものである。ダミー栓３９は、合成樹脂により一体に形成されており、電線挿通孔２９の内径よりも大きな外径を備えた円柱状の挿入部３９Ａと、この挿入部３９Ａの後端部に長方形状に張り出し形成されるつまみ部３９Ｂとを備えている。
【００２３】
次に、図４を参照しつつ、相手側ハウジング６の構成について説明する。相手側ハウジング６は、合成樹脂により略フード状に一体に形成されており、その内部には、導電性部材からなる複数本の雄タブ１１と一対の短絡片１２とが収容されている。また、相手側ハウジング６の内部には、隔離片１３が形成されている。また、上面内側からは、下方に向かって係合受部４０が突設されており、ここがハウジング４のロックアーム１４と係合することで、両ハウジング４，６が抜止保持されるようになっている。
【００２４】
次に、上記のように構成された本参考例の作用および効果について説明する。
まず、ハウジング４とリテーナ５とを仮係止状態に組み付けるとともに、短絡端子９と、必要な個数の短絡端子１０とをハウジング４に組み付けておく。
次に、防水部材７の組付開口７Ａから、ハウジング４の後面側を組付ける。このとき、ロックアーム１４は、操作部１９の内側に収容されるようになっている。
【００２５】
次に、防水部材７の後方からカバー８を組付ける。カバー８の係合アーム１７，１８が、それぞれ防水部材７のアーム挿通孔３０，３１を貫通するとともに、各係合爪１７Ａ，１８Ａがハウジング４の係合縁１５または係合凹部１６に弾性的に係合することにより、カバー８とハウジング４とが抜止保持される。このとき、両部材８，４の間に防水部材７が挟み付けられることで、防水部材７が抜け止めされる。なお、カバー８の組付が完了すると、防水部材７のリブ装着凹部３２にはカバー８のリブ３３が、リブ挿入溝３７には円形リブ３８がそれぞれ嵌まり込んでいる。さらに、カバー８の先端部分に凹設される嵌込み部２５，２６，２７には、それぞれ当接部２２，２３，２４が嵌まり込んでいる。
【００２６】
また、防水部材７の突設部３５は、カバー８の全面開口３４に収容されており、突設部３５の後端面が全面開口３４と同じ面にあるか、僅かに内側に退避した状態となっている。
次に、不使用とされるキャビティ３には、ダミー栓３９を装着しておく。図３には、四個のダミー栓３９を挿入する前の様子を示した。なお、ダミー栓３９の装着に際しては、カバー８の後方に大きく開放された全面開口３４を通して行うことができるので、自動組付機によっても容易に組み付けることができる。
【００２７】
こうして防水コネクタ１の組み付けを完了した後には、電線Ｗの一端部を接続した端子金具２を所定のキャビティ３に挿入した後に、リテーナ５を本係止位置まで押し込んで、端子金具２を抜止状態とする（図５を参照）。
最後に、防水コネクタ１のハウジング４と、相手側ハウジング６とを嵌合させる。両ハウジング４，６が所定の位置まで嵌め込まれると、ロックアーム１４の係合突部１４Ａが係合受部４０に対して弾性的に係合することで係合される。このとき、両ハウジング４，６の間には、防水部材７のハウジング防水部２０，２１が所定の接圧で挟みつけられており、僅かに弾性変形することで両ハウジング４，６を水密状としている。また、ハウジング４，６の内部では、端子金具２と雄タブ１１とが接続されているとともに、一対の短絡片１２が短絡端子９の弾性接触片９Ａに接触している（図７等を参照）。
【００２８】
このように本参考例によれば、カバー８には全面開口３４が設けられて防水部材７の電線挿通孔２９を露出させるようにしたため、電線挿通孔２９が外部から確認しやすく端子金具２の挿入作業性に優れる。また、電線挿通孔２９に対し個別にダミー栓３９を挿入する場合の作業性にも優れる。
また、従来の防水コネクタ１００のように、防水部材１０４の後端面をカバー１０３の後端面で覆っていたものに比較すると、カバー８の後端面の厚み分だけ寸法低減が図れるため、防水コネクタ１全体の前後長さを小さくできる。
【００２９】
＜第１実施形態＞
次に、図１０〜図１９を参照しつつ、本発明の第１実施形態について説明する。なお、参考例と第１実施形態とにおいて、同一の作用を奏する構成には同一の符合を付して、説明を省略する。
本実施形態の防水コネクタ５０においては、ハウジング４とリテーナ５及び、両短絡端子９，１０は、参考例のものと同様のものを使用している。
【００３０】
弾性材から形成される防水部材５１の後面側では、操作部１９の下方一体が、上方に比べて一段後方に突設されて、突設下部５２とされている。この突設下部５２の上下左右の端部付近には、電線挿通孔２９の形成領域の周囲において対向する位置に、それぞれ係止孔５３が設けられている。この係止孔５３には、後述するプレート５４の係止突部５５が嵌まり込む。
【００３１】
また、カバー５６の全面開口３４において、左右の周縁には、上下一対の凹部５７が凹設されている。また、全面開口３４の周縁において、前部より（防水部材５１より）の位置からは、凹部５７と係合アーム１８とを除いたところに、全面開口３４に向かって凸状縁５８が突設されている。
【００３２】
また、本実施形態の防水コネクタ５０には、プレート５４が組み付けられる（なお、図１０に示したプレート５４と、図１１および図１３に示したプレート５４とは、構成が異なっている。つまり、図１０のプレート５４では、全てのキャビティ３に端子金具２を挿入する構成とされている一方、図１１および図１３のプレート５４では、使用されないキャビティ３に対するダミー栓６１が設けられている。但し、図示の都合上、両プレートを同じ符合で示した。）。
プレート５４は合成樹脂により一体に形成されており、その外形のうち左右および下端部は、ほぼ全面開口３４の形状に合わせられている。また、プレート５４の上縁部は、操作部１９との当接を避けるために中央に回避溝６０が設けられている。プレート５４の左右および下端縁は、全面開口３４の周縁形状とほぼ同等の形状に形成されている。
【００３３】
またプレート５４の左右端部は、上下一対に突設される凸部６２が設けられており、この凸部６２の表面側からは、係止突部５５が前方に向かって突設されている。この係止突部５５が防水部材５１の係止孔５３に嵌まり込むことで、防水部材５１の四隅の位置が固定されるようになっている。また、凸部６２は、全面開口３４の凹部５７内に位置するようになっている。また、プレート５４には、電線挿通孔２９と整合する位置に電線Ｗの前後方向への挿通を許容する電線通過口５９が開口されている。
【００３４】
また、図１１および図１３に示すプレート５４では、不使用とされるキャビティ３の位置に対応するところには、ダミー栓６１が突設されている。このダミー栓６１は、参考例におけるダミー栓３９の挿入部３９Ａと同等の構成を備えている。
【００３５】
次に、上記のように構成された本実施形態の作用および効果について説明する。
まず、ハウジング４に対して、リテーナ５と両短絡端子９，１０とを組み付けておく（なお、リテーナ５は仮係止状態としておく。）。
次に、ハウジング４に防水部材５１を組付ける。次に、防水部材５１の後方からカバー５６を組付ける。カバー５６の係合アーム１７，１８がアーム挿通孔３０，３１を貫通して、ハウジング４の係合縁１５または係合凹部１６に弾性的に係合することによりカバー５６とハウジング４とが抜止保持されるとともに、防水部材５１が両部材４，５６の間に挟持される。
【００３６】
次に、防水部材５１の後面側にプレート５４を装着する。プレート５４の係止突部５５を対応する係止孔５３に嵌込むことにより、プレート５４の四隅が防水部材５１に一体化した状態で固定されている（図１９に拡大して示す。）。
【００３７】
またこのとき、プレート５４のダミー栓６１は、不使用とされるキャビティ３に対応する電線挿通孔２９に嵌まり込んでおり、端子金具２の誤挿入を防止するとともに、電線挿通孔２９からの水の侵入を防止している。
こうして防水コネクタ５０の組み付けを完了した後には、電線Ｗの一端部を接続した端子金具２を、電線通過口５９を経て防水部材５１の電線挿通孔２９およびキャビティ３内へ挿入する。このとき、端子金具２は、電線挿通孔２９周りの肉を外側へを圧迫しながら挿入されるため、挿入作業の進行に伴って肉が偏り、未挿入の電線挿通孔２９が原位置からずれようとする。しかし、係止突部５５と係止孔５３との係合によって、プレート５４と防水部材５１との位置ずれが規制されているので、電線挿通孔２９と電線通過口５９との整合状態が保持されたままとなっているから、端子金具２の挿入が容易になる。
【００３８】
全ての端子金具２を挿入した後に、リテーナ５を本係止位置まで押し込むことで、端子金具２を抜止状態とする（図１４を参照）。
最後に、両ハウジング４，６を嵌合させると、ロックアーム１４が係合受部４０に弾性的に係合することで、両ハウジング４，６が係合される（図１６〜図１８を参照）。
【００３９】
このように本実施形態によれば、防水コネクタ５０の回路構成を変更する場合には、プレート５４の構造のみを変更すればよいため、ハウジング４全体の構造を変える必要がなく最小限の変更で済む。
また、端子金具２の挿入作業に伴って電線挿通孔２９の位置がずれようとしても、プレート５４と防水部材５１とが、係止突部５５と係止孔５３との係合によって一体化されているので、電線挿通孔２９と電線通過口５９との整合状態が保持されるから、端子金具２の挿入が容易になる。
【００４０】
＜第２実施形態＞
次に、図２０〜図２２を参照しつつ、本発明の第２実施形態を説明する。尚、本第２実施形態と上記第１実施形態との間で同一の作用を奏する構成には、同一の符号を付すにとどめて説明は省略する。
本第２実施形態の防水コネクタ７０においては、防水部材７１がカバー７２に対してインサート成形または嵌込みによって一体化されており、カバー７２の表面７２Ｓと防水部材７１の表面７１Ｓとは面一状にかつ平坦状に連なっている。そして、この防水部材７１とカバー７２の面一状の表面７１Ｓ，７２Ｓには、プレート７３が取り付けられている。プレート７３は、防水部材７１の表面７１Ｓ全体と、カバー７２の表面７２Ｓのうち防水部材７１の周囲を取り囲む周縁領域とを覆う形状の板材からなる。かかるプレート７３は、防水部材７１の各電線挿通孔７４と対応する電線通過口７５を有し、係止突部７６を防水部材７１の係止孔７７に圧入することにより、防水部材７１とカバー７２の表面７１Ｓ，７２Ｓに密着するようにして取り付けられている。
【００４１】
また、カバー７２におけるプレート７３が取り付けられる表面７２Ｓには、そのプレート７３の周囲を取り囲むように保護リブ７８が突出形成されている。保護リブ７８は、プレート７３の周縁のうち、下縁の全体、左右両側縁の全体、及び上縁のうち左右両端部に沿った領域に亘って形成されている。かかる保護リブ７８のカバー７２からの突出寸法はプレート７３の板厚と同じ寸法であり、したがって、保護リブ７８の突出端面７８Ｓは、プレート７３の表面７３Ｓに対して面一状となっている。尚、保護リブ７８の突出寸法をプレート７３の板厚よりも大きくして、保護リブ７８の突出端面７８Ｓがプレート７３の表面７３Ｓよりも外方に突出するようにしてもよい。
このように、カバー７２におけるプレート７３が組み付けられる表面７１Ｓには、プレート７３の周囲を取り囲むように突出する保護リブ７８を形成したので、他の部材（他のワイヤーハーネス等の部品）との干渉に起因してプレート７３が破損したり、プレート７３がカバー７２から外れたりすることが防止されている。
【００４２】
本発明の技術的範囲は、上記した実施形態によって限定されるものではなく、例えば、次に記載するようなものも本発明の技術的範囲に含まれる。その他、本発明の技術的範囲は、均等の範囲にまで及ぶものである。
（１）上記の実施形態では、ハウジング４は、雌側の端子金具２を収容可能とされているが、本発明によれば、端子金具は雄側のものでもよい。
（２）上記した第１実施形態では、係止突部５５と係止孔５３とは、電線挿通孔２９の形成領域の周囲において四隅に設けられているが、本発明によれば、少なくとも対向する一対の位置に設けられていればよい。
【図面の簡単な説明】
【図１】参考例における防水コネクタの分解斜視図
【図２】カバーの正面図
【図３】防水コネクタにダミー栓を組付ける前の斜視図
【図４】防水コネクタと相手側ハウジングとの嵌合前の斜視図
【図５】防水コネクタの側断面図
【図６】防水コネクタと相手側ハウジングとが嵌合したときの背面図
【図７】図６におけるＡ−Ａ線断面図
【図８】図６におけるＢ−Ｂ線断面図
【図９】図６におけるＣ−Ｃ線断面図
【図１０】第１実施形態における防水コネクタの分解斜視図
【図１１】プレートの前面側を示す斜視図
【図１２】カバーの正面図
【図１３】防水コネクタと相手側ハウジングとの嵌合前の斜視図
【図１４】防水コネクタの側断面図
【図１５】防水コネクタと相手側ハウジングとが嵌合したときの背面図
【図１６】図１５におけるＤ−Ｄ線断面図
【図１７】図１５におけるＥ−Ｅ線断面図
【図１８】図１５におけるＦ−Ｆ線断面図
【図１９】図１８における円Ｓ内の様子を示す部分拡大図
【図２０】第２実施形態における防水コネクタの分解斜視図
【図２１】防水コネクタの組付け状態の斜視図
【図２２】防水コネクタの組付け状態の断面図
【図２３】従来例における防水コネクタの分解斜視図
【図２４】従来例における防水コネクタの側断面図
【符号の説明】
１，５０，７０…防水コネクタ
２…端子金具
３…キャビティ
４…ハウジング
６…相手側ハウジング
７，５１，７１…防水部材
８，５６，７２…カバー
２０，２１…ハウジング防水部
２９，７４…電線挿通孔
３４…全面開口
３９，６１…ダミー栓
５３，７７…係止孔
５４，７３…プレート
５５，７６…係止突部
５９，７５…電線通過口
７８…保護リブ
Ｗ…電線
【図１】
0003596427.tif 000002
【図２】
0003596427.tif 000003
【図３】
0003596427.tif 000004
【図４】
0003596427.tif 000005
【図５】
0003596427.tif 000006
【図６】
0003596427.tif 000007
【図７】
0003596427.tif 000008
【図８】
0003596427.tif 000009
【図９】
0003596427.tif 000010
【図１０】
0003596427.tif 000011
【図１１】
0003596427.tif 000012
【図１２】
0003596427.tif 000013
【図１３】
0003596427.tif 000014
【図１４】
0003596427.tif 000015
【図１５】
0003596427.tif 000016
【図１６】
0003596427.tif 000017
【図１７】
0003596427.tif 000018
【図１８】
0003596427.tif 000019
【図１９】
0003596427.tif 000020
【図２０】
0003596427.tif 000021
【図２１】
0003596427.tif 000022
【図２２】
0003596427.tif 000023
【図２３】
0003596427.tif 000024
【図２４】
0003596427.tif 000025